(57)【特許請求の範囲】
【請求項１】
複数の画素を含むディスプレイと、
前記ディスプレイのアクティブエリアがスプラインによって規定される少なくとも１つの丸みを帯びた角を含んだ外形を有するように、前記ディスプレイに画像データを提供するように構成された制御回路とを有し、
前記画像データが、各画素の輝度値を有し、前記制御回路が、少なくとも１つの調光係数に基づいて前記画像データを修正するように構成された回路を備え、前記複数の画素のそれぞれが調光係数を有し、各画素の前記調光係数が、少なくとも該画素の場所に関連づけられており、前記スプラインの外側の各画素の前記調光係数が、該画素から前記スプラインまでの距離に関連づけられている、電子デバイス。
【請求項２】
前記制御回路が、各画素の輝度値に、該画素の前記調光係数を乗算するように構成された乗算回路を備える、請求項１に記載の電子デバイス。
【請求項３】
前記制御回路が、前記修正された画像データを前記複数の画素に提供するディスプレイドライバ回路を含み、前記複数の画素が、前記修正された画像データに基づく画像を表示する、請求項２に記載の電子デバイス。
【請求項４】
前記スプラインの外側の各画素の前記調光係数が、該画素の場所に関連づけられた前記スプライン上の場所で前記スプラインの輪郭に関連づけられる、請求項３に記載の電子デバイス。
【請求項５】
各画素の前記調光係数が、前記画素から前記スプラインまでの距離が増えるにつれて減少する、請求項１に記載の電子デバイス。
【請求項６】
前記画素から前記スプラインまでの前記距離が、前記画素の中心から前記スプラインまでの距離として測定される、請求項５に記載の電子デバイス。
【請求項７】
前記スプラインの内側にある画素の前記調光係数が１である、請求項１に記載の電子デバイス。
【請求項８】
１画素幅を超えて前記スプラインの外側にある画素の前記調光係数が０である、請求項１に記載の電子デバイス。
【請求項９】
少なくとも各画素の前記調光係数が、該画素から前記スプラインまでの正規化された距離に関連づけられており、前記正規化された距離が、該画素から前記スプラインまでの距離を該画素のサイズで除算することによって正規化されている、請求項１に記載の電子デバイス。
【請求項１０】
前記ディスプレイが、４つの丸みを帯びた角を伴う４つの辺を有する、請求項１に記載の電子デバイス。
【請求項１１】
ディスプレイのディスプレイ回路であって、
前記ディスプレイのアクティブエリアがスプラインによって規定される少なくとも１つの丸みを帯びた角を含んだ外形を有するように画像を表示するように構成された複数の画素と、
画像データを受信するように構成された乗算回路であって、前記画像データが、前記複数の画素の各画素の輝度値を含み、前記乗算回路が、少なくとも、各画素の前記輝度値に該画素に関連づけられた調光係数を乗算して修正画像データを取得するように構成され、前記スプラインの外側の各画素の前記調光係数が、該画素から前記スプラインまでの距離の関数である、乗算回路と、
前記修正画像データを前記複数の画素に提供するように構成されたディスプレイドライバ回路と、
を備える、ディスプレイのディスプレイ回路。
【請求項１２】
各画素の前記調光係数を含むゲインテーブルを更に備え、各画素の前記調光係数が該画素から前記スプラインまでの距離が増えるにつれて、減る、請求項１１に記載のディスプレイ回路。
【請求項１３】
各画素から前記スプラインまでの前記距離が、該画素の中心から前記スプラインまでの距離として測定される、請求項１２に記載のディスプレイ回路。
【請求項１４】
前記スプラインの外側かつ前記スプラインまで所定の距離内にある画素の前記調光係数が１である、請求項１３に記載のディスプレイ回路。
【請求項１５】
１画素幅を超えて前記スプラインの外側にある画素の前記調光係数が０である、請求項１３に記載のディスプレイ回路。
【請求項１６】
少なくとも各画素の前記調光係数が、該画素から前記スプラインまでの正規化された距離に関連づけられており、前記正規化された距離が、該画素から前記スプラインまでの距離を該画素のサイズで除算することによって正規化されている、請求項１１に記載のディスプレイ回路。
【請求項１７】
さらに少なくとも各画素の前記調光係数が、該画素の場所および該画素の前記場所に関連づけられた前記スプライン上の場所で前記スプラインの輪郭に関連づけられる、請求項１６に記載のディスプレイ回路。
【請求項１８】
複数の画素を有するディスプレイを、前記ディスプレイのアクティブエリアがスプラインによって規定される少なくとも１つの丸みを帯びた角を含んだ外形を有するように動作させる方法であって、
前記ディスプレイに画像データを提供することであって、前記画像データが前記複数の画素の各画素の輝度レベルを含む、ことと、
調光係数に基づいて前記画像データを修正することであって、前記複数の画素のそれぞれが調光係数を有し、各画素の前記調光係数が、少なくとも該画素の場所に関連づけられており、前記スプラインの外側の各画素の前記調光係数が、該画素と前記スプラインとの間の距離に関連づけられている、ことと、
前記修正された画像データに基づき、前記複数の画素を用いて画像を表示することと
を含む、方法。
【請求項１９】
前記スプラインの外側の各画素の前記調光係数が、該画素の場所に関連づけられた前記スプライン上の場所で前記スプラインの輪郭に関連づけられるとともに、該画素と前記スプラインとの間の正規化された距離に関連づけられており、前記正規化された距離が、該画素から前記スプラインまでの距離を該画素のサイズで除算することによって正規化されている、請求項１８に記載の方法。
【発明の詳細な説明】
【背景技術】
【０００１】
本出願は、２０１６年８月４日に出願された米国仮特許出願第６２／３７１，１６５号に対する優先権を主張するものであり、参照によって当該仮出願の全体が本明細書に組み入れられる。
【０００２】
本出願は、概して電子デバイスに関し、より具体的には、ディスプレイを有する電子デバイスに関する。
【０００３】
携帯電話、コンピュータ、及び腕時計デバイスなどの電子デバイスは、多くの場合、ディスプレイを含む。例えば、電子デバイスは、有機発光ダイオード画素に基づく有機発光ダイオードディスプレイ、又は液晶画素に基づく液晶ディスプレイを有し得る。既存のディスプレイは、その４つの角の各々が直角の輪郭を有する、長方形状を有し得る。しかしながら、このタイプの形状は、電子デバイスについて望ましい美しさと合致しないことがある。
【０００４】
従って、電子デバイスのために改善されたディスプレイを提供することが可能となれば望ましいであろう。
【発明の概要】
【０００５】
ディスプレイは、画素の配列を有し得る。ディスプレイは、液晶ディスプレイでもよく、有機発光ダイオードディスプレイでもよく、又は他のタイプのディスプレイでもよい。
【０００６】
ディスプレイにおいて、画素の配列は、そのディスプレイのアクティブエリアを形成することができる。時に、ディスプレイのアクティブエリアが曲線状の縁部を有することが望ましいことがある。例えば、アクティブエリアは、４つの丸みを帯びた角によって接続された４つの辺を有し得る。各々の丸みを帯びた角は、スプラインによって定義され得る。
【０００７】
画素配列内の画素は、ディスプレイのアクティブエリアが所望の曲線状の縁部の形状を有するように、制御され得る。１つの方式では、スプライン内にない画素がオフにされ、一方で、スプライン内にある画素はオンにされることになる。しかしながら、このタイプの構成で得られる曲線状の縁部は、ユーザにはギザギザに見えるであろう。曲線状の縁部の見掛けの滑らかさを最大限にするために、ディスプレイは、画素のいくつかを完全にオフにすることなく減光する回路を含み得る。
【０００８】
ディスプレイ回路は、第１の入力としての画像データと、ゲインテーブルから第２の入力としての調光係数とを受信する乗算回路を含み得る。画像データは、画素の配列内の各画素の輝度レベルを含み得る。ゲインテーブルは、画素の配列内の各画素の調光係数を含み得る。乗算回路は、各画素の輝度レベルに、それに対応する調光係数を乗算することができる。この修正された画像データは、次いで、ディスプレイドライバ回路を用いて、イメージング画素に供給され得る。
【０００９】
各画素の調光係数は、スプラインからの画素の距離の関数でもよい。各画素の調光係数はまた、画素の場所に関連づけられた線速度の関数でもよい。
【図面の簡単な説明】
【００１０】
【図１】一実施形態による、ディスプレイを有する例示的な電子デバイスの概略図である。
【図２】一実施形態による、丸みを帯びた角を有するディスプレイ内の画素の例示的配列の平面図である。
【図３】一実施形態による丸みを帯びた角を有するディスプレイの例示的スプラインの平面図である。
【図４】一実施形態によるディスプレイがギザギザの縁部をどのように有し得るかを示す図３の例示的スプラインの拡大表示画像である。
【図５】一実施形態による調光係数に基づいて画像データを修正する例示的ディスプレイの概略図である。
【図６】一実施形態による図５に示すディスプレイの動作に含まれる例示的ステップのフロー図である。
【図７】一実施形態によるスプラインからの副画素の距離がどのように決定され得るかを示すスプラインを有する例示的ディスプレイの平面図である。
【図８】一実施形態によるスプラインからの副画素の距離がどのように決定され得るかを更に示す図７の拡大表示画像である。
【図９】一実施形態による所与の副画素に関連づけられた線速度がどのように決定され得るかを示すスプラインを有する例示的ディスプレイの平面図である。
【図１０】一実施形態によるスプラインからの副画素の距離に基づく副画素の調光係数の決定に関わる例示的ステップのフロー図である。
【図１１】一実施形態によるスプラインからの副画素の距離及び副画素に関連づけられた線速度に基づく副画素の調光係数の決定に関わる例示的ステップのフロー図である。
【発明を実施するための形態】
【００１１】
ディスプレイを備え得るタイプの例示的電子デバイスが、図１に示される。電子デバイス１０は、ラップトップコンピュータ、組み込み型コンピュータを含むコンピュータ用モニタ、タブレットコンピュータ、セルラー電話、メディアプレーヤ、又はその他のハンドヘルド若しくはポータブル電子デバイスなどのコンピューティングデバイス、腕時計型デバイス、ペンダント型デバイス、ヘッドホン型若しくはイヤホン型デバイス、眼鏡に埋め込まれたデバイス若しくはユーザの頭部に装着する他の機器、又はその他の着用可能な若しくはミニチュアデバイスなどの小さめのデバイス、ディスプレイ、組み込み型コンピュータを含むコンピュータ用ディスプレイ、組み込み型コンピュータを含まないコンピュータ用ディスプレイ、ゲーミングデバイス、ナビゲーションデバイス、ディスプレイを有する電子機器をキオスク若しくは自動車に搭載したシステムなどの組み込み型システム、又は他の電子機器であってもよい。
【００１２】
図１に示すように、電子デバイス１０は制御回路１６を有することができる。制御回路１６は、デバイス１０の動作をサポートする記憶及び処理回路を含むことができる。記憶及び処理回路としては、ハードディスクドライブ記憶装置、不揮発性メモリ（例えば、フラッシュメモリ、又はソリッドステートドライブを形成するように構成された他の電気的にプログラム可能な読み出し専用メモリ）、揮発性メモリ（例えば、静的又は動的なランダムアクセスメモリ）などの記憶装置を挙げることができる。制御回路１６内の処理回路を用いて、デバイス１０の動作を制御することができる。処理回路は、１つ以上のマイクロプロセッサ、マイクロコントローラ、デジタル信号プロセッサ、ベースバンドプロセッサ、電力管理ユニット、オーディオチップ、特定用途向け集積回路などに基づき得る。
【００１３】
入出力デバイス１２などの、デバイス１０内の入出力回路を用いて、デバイス１０にデータを供給し、かつ、デバイス１０から外部デバイスにデータを提供できるようにすることができる。入出力デバイス１２としては、ボタン、ジョイスティック、スクロールホイール、タッチパッド、キーパッド、キーボード、マイクロフォン、スピーカ、トーンジェネレータ、振動器、カメラ、センサ、発光ダイオード及び他の状態標識、データポートなどが挙げられ得る。ユーザは、入出力デバイス１２を通じてコマンドを供給することによってデバイス１０の動作を制御することができ、入出力デバイス１２の出力リソースを用いてデバイス１０から状態情報及び他の出力を受信することができる。
【００１４】
入出力デバイス１２は、ディスプレイ１４などの１つ以上のディスプレイを含み得る。ディスプレイ１４は、ユーザからのタッチ入力を収集するためのタッチセンサを含むタッチスクリーンディスプレイであってよく、又は、ディスプレイ１４は、タッチに反応しなくてもよい。ディスプレイ１４のタッチセンサは、容量性タッチセンサ電極の配列、音響式タッチセンサ構造体、抵抗性タッチ構成要素、力覚タッチセンサ構造体、光学式タッチセンサ、又は他の適切なタッチセンサ構成に基づき得る。ディスプレイ１４のタッチセンサは、ディスプレイ１４の画素を有する共通のディスプレイ基板上に形成された電極から形成することができ、又は、ディスプレイ１４の画素と重なる別個のタッチセンサパネルから形成することができる。所望であれば、ディスプレイ１４は、タッチに反応しなくてもよい（すなわち、タッチセンサは省略されてもよい）。
【００１５】
制御回路１６を用いて、オペレーティングシステムコード及びアプリケーションなどのソフトウェアをデバイス１０で実行することができる。デバイス１０の動作中、制御回路１６で実行しているソフトウェアは、ディスプレイ１４に画像を表示し得る。
【００１６】
図２は、４つの辺及び４つの曲線状の（丸みを帯びた）角を有するアクティブエリアＡＡを有する例示的ディスプレイを示す。ディスプレイ１４のアクティブエリアは、中心３６を有し得る。所望であれば、１つ以上の曲線状の縁部を有する他のディスプレイ形状が、ディスプレイ１４の形成において使用され得る。ディスプレイ１４は、画素配列３４など、ユーザ用の画像を表示するための画素３２の配列を有し得る。配列３４内の画素３２は、行及び列として配置されてもよい。配列３４の縁部は、曲線状でもよい（すなわち、配列３４内の画素３２のいくつかの行及び／又は画素３２のいくつかの列は、異なる長さを有してもよい）。配列３４には、任意の適切な数の行及び列（例えば、１０以上、１００以上、又は１０００以上）が存在し得る。ディスプレイ１４は、異なる色の画素３２を含むことができる。一例として、ディスプレイ１４は、赤い画素、緑の画素、及び青い画素を含むことができる。場合によっては、単一画素が、赤い副画素、青い副画素、及び緑の副画素を含むと言うことができる。しかしながら、これらの副画素は、それら自体が画素と呼ばれることがある（すなわち、赤い画素、青い画素、緑の画素など）。所望であれば、バックライトユニットが、ディスプレイ１４のバックライト照明を提供することができる。
【００１７】
ディスプレイドライバ回路を用いて、画素３２の動作を制御することができる。ディスプレイドライバ回路は、集積回路、薄膜トランジスタ回路、又はディスプレイの非アクティブエリア内に形成された他の適切な回路から形成することができる。ディスプレイドライバ回路は、システム制御回路（すなわち、制御回路１６）と通信することができ得る。動作中に、制御回路は、ディスプレイドライバ集積回路などの回路に、ディスプレイ１４に表示される画像の画像データを供給することができる。画素３２に画像を表示するために、ディスプレイドライバ回路は、対応する画像データをデータ線Ｄに供給し、配列３４内の画素３２の第１の行内のゲート線信号Ｇから開始して、順に、ゲート線Ｇ上でゲート線信号をアサートすることができる。各ゲート線がアサートされると、データ線Ｄからのデータは、対応する行の画素にロードされ得る。この方法で、制御回路は、ディスプレイ１４に所望の画素を表示するように画素３２に指示する信号を画素３２に提供することができる。水平の制御線Ｇ（ゲート線、走査線、放出制御線などと呼ばれることがある）は、ディスプレイ１４を水平に通り、画素３２の対応する行と関連し得、一方、データ線Ｄは、ディスプレイ１４を垂直に通り、画素３２の対応する列と関連し得る。
【００１８】
図２に示すように、ディスプレイのアクティブエリアは、時に、曲線状の縁部を備え得る。このタイプの形状は、ディスプレイのアクティブエリアのサイズを最大にすることができる。しかしながら、ディスプレイの曲線状の縁部が滑らかに見え、見た目に美しくなることを確保することが、課題になり得る。これらの課題のいくつかを説明するために、図２のディスプレイの拡大された部分（１４−１）が図３に示される。
【００１９】
図３は、画素配列３４の一部である複数の画素３２を示す。図２に示されるような丸みを帯びた角をディスプレイ１４が有するために、画素は、スプライン４２（スプライン曲線又はスプライン縁部と呼ばれることがある）を辿ることができる。スプラインは、ディスプレイのアクティブエリアの最適な外形になり得る。理想的には、均一な光がスプラインの内側のすべてのポイントで放出され、スプラインの外側のポイントでは光は放出されない。これは、電子デバイスのユーザに滑らかに見える曲線をアクティブエリアが表示することを確保することになる。しかしながら、ユーザはディスプレイ内の個々の画素を認識可能であろうから、努めてスプラインを辿るように画素を選択的に有効とすると、スプラインの途中でユーザにはギザギザに見える曲線状の縁部をもたらすことがある。生じ得るギザギザの縁部が、スプライン及びアクティブエリアの部分１４−２の拡大表示版を示す図４に示される。
【００２０】
先ず、各画素３２は、３つの副画素３２−１、３２−２、及び３２−３を含み得ることに留意されたい。副画素３２−１は赤い副画素でもよく、副画素３２−２は緑の副画素でもよく、副画素３２−３は青い副画素でもよい。各画素３２は、図４に示すように配置された赤、緑、及び青の副画素３２−１、３２−２、及び３２−３を有し得る。副画素は、画素と呼ばれることもある。各画素において、赤い副画素が、緑の副画素の上に位置してよく、青い副画素が、赤い副画素及び緑の副画素の右に位置してよい。本例の画素レイアウトは単に例示であり、任意の所望の画素又は副画素がディスプレイ１４に使用され得る。
【００２１】
図４は、各画素がオン又はオフになるように個々に制御される、スプライン縁部を形成するための画素方式を示す。図示されるように、スプライン縁部内にある画素は、オンにされ（すなわち、これらの画素は、光を放出することができる）、一方、スプライン縁部内にない画素は、オフにされる（すなわち、これらの画素は、光を放出することができず、暗くなることになる）。例示的画素グループ４４は、どの画素３２がスプライン縁部内にあると考えられ、オンにされ得るかを示す。残りの画素は、オフのままにされることになる。画素グループ４４の形状に基づいて図４において見られるように、このタイプの画素配置は、ギザギザの縁部を有するディスプレイをもたらし得る。
【００２２】
ディスプレイの縁部のギザギザを防ぐために、ディスプレイ画素データが、調光係数によって修正され得る。図５は、デバイス１０のディスプレイ１４の実装において使用することができる例示的回路の概略図である。電子デバイス１０の動作中、デバイス内の制御回路は、ディスプレイ１４で表示されることになる画像の画像データ２６を供給することができる。最終的に、画像データは、ディスプレイのデータ線Ｄに画像データを供給することができる、ディスプレイドライバ回路５０に配信され得る。ディスプレイドライバ回路５０はまた、ディスプレイ１４のゲート線Ｇでゲート線信号をアサートするために使用されるゲートドライバ回路を含み得る。ディスプレイドライバ回路は、画素配列３４内の画素に画素データを提供するために使用することができる。
【００２３】
ディスプレイドライバ回路５０に提供される前に、画像データに、乗算回路３０（ゲイン回路と呼ばれることがある）内のゲインテーブル２８からの調光係数が乗算され得る。画像データ２６の各フレームは、画素配列３４内の各画素３２の代表輝度値を含み得る。ゲインテーブル２８は、画素配列３４内の各画素（又は副画素）３２の調光係数を含み得る。調光係数は、ディスプレイのスプライン縁部に対する画素の場所と関連し得る。ディスプレイのスプライン縁部内にある各画素は、１の調光係数（その画素の輝度レベルが修正されないことを意味する）を有し得る。ディスプレイのスプライン縁部の外側にある画素は、０と１の間の調光係数を有し得る。画素の輝度レベルに、ゲイン回路３０において１未満の調光係数を乗算するとき、その特定の画素の輝度は減らされる（すなわち減光される）ことになる。ディスプレイのスプライン縁部の外側の画素を減光することで、ディスプレイの縁部がユーザにより滑らかに見えることを可能にし得る。
【００２４】
画像データ２６に、ゲインテーブル２８からの調光係数が乗算された後、修正された画像データが、ディスプレイドライバ回路５０に提供され得る。ディスプレイドライバ回路５０は、次いで、修正された画像データを画素配列３４内の画素に提供する。画素配列は、次いで、ユーザにギザギザに見えない曲線状の縁部を有する所望の画像を表示することができる。
【００２５】
図５に示すような乗算回路３０、ゲインテーブル２８、ディスプレイドライバ回路５０、及び画素配列３４は、総称してディスプレイ回路と呼ばれることがある。それに代えて、画素配列３４は、ディスプレイと呼ばれることもあり、一方、乗算回路３０、ゲインテーブル２８、及びディスプレイドライバ回路５０は、総称して制御回路と呼ばれることもある。
【００２６】
より滑らかなディスプレイ縁部を実現するために画像データを修正するための例示的方法のステップを示すフロー図が、図６に示される。図示されるように、ステップ１０２で、画像データ（すなわち、画像データ２６）が提供され得る。画像データが提供された後は、ステップ１０４で、ゲインテーブル（すなわち、ゲインテーブル２８）において発見された調光係数が画像データに乗算され得る。各画素には、その特定の画素の場所に関連づけられた０と１の間の調光係数が乗算され得る。画像データが修正された後、修正された画像データが、ステップ１０６でディスプレイドライバ回路（すなわち、ディスプレイドライバ回路５０）に提供され得る。最後に、ステップ１０８で、修正された画像データに基づいて画素配列内の画素を用いて、画像が表示され得る。ディスプレイドライバ回路５０は、画像を表示するために、修正された画像データを画素３２に供給することができる。
【００２７】
図６に示される方法のステップは、任意のタイプのディスプレイに適用することができる。根本的に、本方法は、画素の輝度レベルを調整して滑らかな曲線を実現することを含む。このタイプの方法は、発光ダイオード（light-emitting diode、ＬＥＤ）ディスプレイ、有機発光ダイオード（organic light-emitting diode、ＯＬＥＤ）ディスプレイ、液晶（liquid crystal、ＬＣ）ディスプレイ、エルコス（liquid crystal on silicon、ＬＣＯＳ）ディスプレイなどに適用することができる。ディスプレイは、反射型ディスプレイ、透過型ディスプレイ、半透過型ディスプレイ、又は任意の他の所望のタイプのディスプレイでもよい。一般に、任意のタイプのディスプレイが使用され得る。
【００２８】
ゲインテーブル２８において使用される調光係数は、様々な方法で決定することができる。第１の例示的実施形態では、調光係数は、画素配列内の各副画素に関連し得る（すなわち、各画素は、すべてがそれぞれの調光係数を有する対応する副画素３２−１、３２−２、及び３２−３を有し得る）。調光係数は、スプライン縁部からの副画素の距離に基づくことができる。図７は、副画素の調光係数を決定するためにスプライン縁部からの副画素の距離がどのように使用され得るかを示す。簡潔にするために、図７は１つのみの画素を示すが、このタイプの調光係数は配列内の任意の副画素に適用され得ることが理解される。加えて、図７は、必ずしも原寸に比例せず、説明される概念を単に例示していることに留意されたい。
【００２９】
図７は、ディスプレイアクティブエリアの中心３６から離れたスプライン縁部４２を示す。例示的副画素３２−１、３２−２、及び３２−３が、図７に示される。各副画素は、それぞれの中心を有し得る。中心４６−１が赤い副画素３２−１の中心であってよく、中心４６−２が緑の副画素３２−２の中心であってよく、そして、中心４６−３が青い副画素３２−３の中心であってよい。スプライン縁部４２内に中心を有する任意の副画素の調光係数は、１であってよい。これは、スプライン縁部４２内に中心を有する任意の副画素は減光されないことを意味する。副画素３２−２は、スプライン縁部内に中心を有する画素の一例である。図示されるように、副画素３２−２の中心４６−２は、スプライン縁部内に位置している。従って、図７の副画素３２−２の調光係数は、１である。
【００３０】
スプライン縁部の外側に中心を有する副画素は、１未満の調光係数を有し得る。副画素がスプライン縁部の外側に中心を有する場合、調光係数は、副画素の中心とスプライン縁部との間の距離によって決定することができる。例えば、副画素３２−１は、スプライン縁部の外側に位置付けられた中心４６−１を有する。中心４６−１とスプライン４２との間の距離を決定するために、スプライン４２上の点が、測定のための関連点として選択される必要がある。この点は、副画素の中心とアクティブエリアの中心との間に線を描くことによって、決定される。この線は、図７において線４８によって表される。図示されるように、線４８は、アクティブエリアの中心と副画素３２−１の中心との間につながれる。類似の線が、副画素４６−３についても使用され得る。図示されるように、線５２は、アクティブエリアの中心３６を画素３２−３の中心４６−３に接続する。図７に示される画素の拡大表示版が、図８に示される。
【００３１】
図８に示すように、点５４は、アクティブエリアの中心と副画素３２−１の中心との間の一直線上のスプライン４２上の点であってよい。点５４と中心４６−１との間の距離は、副画素３２−１とスプライン４２との間の距離５８と考えることができる。同様に、点５６は、アクティブエリアの中心３６と副画素３２−３の中心４６−３との間の一直線上のスプライン４２上の点であってよい。点５６と中心４６−３との間の距離は、副画素３２−３とスプライン４２との間の距離６０と考えることができる。
【００３２】
副画素とスプラインとの間の距離を用いて調光係数を計算するために、距離は、その距離を画素のサイズで割ることによって正規化され得る。例えば、配列内の各画素は、図８に示すように、幅６２を有し得る。画素の幅又は任意の他の所望の寸法が、画素のサイズを表すために用いられ得る。画素サイズの表現として画素幅を使用すること（本例におけるように）は単に例示であり、任意の他の所望の画素寸法（すなわち、長さ）が、画素サイズを表すために使用され得る。正規化された距離（ｄ）は、副画素とスプラインとの間の距離を画素のサイズで割ることによって決定することができる（すなわち、ｄ＝距離／画素サイズ）。スプラインの外側の各副画素の調光係数（dimming factor、ＤＦ）は、次いで、以下の式、ＤＦ＝１−ｄによって決定することができる。この式で、「ｄ」は、前述したようにスプラインから副画素の正規化された距離である。この式を使用すると、調光係数は、副画素がスプラインから遠くなるにつれて、１から０へと進むことになる。例えば、スプラインに非常に近い副画素は、０．９５の調光係数（輝度のわずか５％減を意味する）を有し得る。一方、スプラインから更に遠い副画素は、０．０５の調光係数（輝度の９５％減を意味する）を有し得る。最小調光係数は、０になり得る。これは、スプラインからの距離が１画素幅を超える副画素は常にオフにされ得ることを意味する。
【００３３】
副画素とスプラインとの間の距離に基づいて画像データを修正することで、ディスプレイの縁部の見掛けの滑らかさを改善することができる。しかしながら、副画素とスプラインとの間の距離だけではなく、スプラインの線速度にも基づいて調光係数を調整することによって、更なる改善が行われ得る。スプラインの線速度の取得の情報が、図９に示される。線速度は、対象とする画素の場所に関連づけられたスプライン上の場所におけるスプラインの輪郭に依存し得る。簡潔にするために、図９は１つのみの画素を示すが、このタイプの調光係数は配列内の任意の副画素に適用され得ることが理解される。加えて、図９は必ずしも原寸に比例せず、説明される概念を単に例示していることに留意されたい。
【００３４】
図９は、ディスプレイアクティブエリアの中心３６から離れたスプライン縁部４２を示す。例示的副画素３２−１、３２−２、及び３２−３が、図９に示される。各副画素は、図７に関して説明されたように、それぞれの中心を有し得る。中心４６−１が、赤い副画素３２−１の中心になり得る。各副画素は、特定の副画素の中心に関連づけられた線速度（linear velocity、ＬＶ）によって決定された対応する線速度関数（linear velocity function、ＬＶＦ）を有し得る。ここで副画素３２−１が線速度の取得の一例として考察される。図７及び図８に関して説明されたように、線４８が、アクティブエリアの中心３６から副画素３２−１の中心まで引かれ得る。この線は、図示されるように、点５４でスプライン４２と交差し得る。点５４は、アクティブエリアの中心と副画素３２−１の中心との間の一直線上のスプライン上の点になり得る。中心３６と点５４との間の、線４８に沿った距離は、距離６４によって特徴付けられ得る。この距離は、ｒ１と呼ばれることがある。次に、角度６６（θ）だけ線４８から離されたもう１つの線６８が描かれ得る。角度は、約１°又は任意の他の所望の角度（すなわち、０．５°、０．１°、０．１°未満、０．１°超など）でもよい。線６８は、スプライン４２（点７２）との交点を有し得る。点７２は、アクティブエリアの中心と副画素３２−３の中心との間の一直線上のスプライン上の点になり得る。中心３６と点７２との間の、線６８に沿った距離は、距離７０によって特徴付けられ得る。この距離は、ｒ２と呼ばれることがある。線速度（ＬＶ）は、続いて、以下の式、ＬＶ＝（ｒ２−ｒ１）／θを用いて決定することができる。
【００３５】
線速度を用いて、線速度関数（ＬＶＦ）を決定することができる。線速度関数は、単に、ディスプレイの滑らかさを最適化するためにいくつかの定数によって調整された線速度でもよい。以下の式、ＬＶＦ＝（ＬＶ／ａ）＋ｂが、線速度関数を決定するために使用され得る。定数「ａ」及び「ｂ」は、ディスプレイ縁部の最大限の滑らかさを実現するように選択され得る。最後に、各画素の調光係数は、前述のような類似の公式を用いて、決定することができる。しかしながら、単に関数距離として調光係数を決定する（前述のように）代わりに、調光係数（ＤＦ）は、以下の公式、ＤＦ＝１−（ｄ／ＬＶＦ）を用いて、距離及び線速度の関数として決定することができる。この公式では、「ｄ」は、前述のようにスプラインからの副画素の正規化された距離であり、ＬＶＦは、前述のように線速度関数である。
【００３６】
図７〜９では、アクティブエリアの中心（３６）が、ディスプレイ画素の調光係数を決定するための基準点として使用される。ただし、本例は単なる例示に過ぎない。ディスプレイパネル上の任意の所望の場所が、画素の線速度及び調光係数の決定における基準点として使用され得る。
【００３７】
図１０及び図１１は、ディスプレイ内の副画素の調光係数を決定するための例示的方法を示す。図１０は、副画素とスプラインとの間の距離の関数として調光係数を決定する方法を示す。ステップ２０２で、副画素とスプラインとの間の距離が、図７及び図８に関して説明したように決定され得る。距離は、次いで、ステップ２０４で正規化され得る。距離は、副画素とスプラインとの間の距離を画素サイズで割ることによって正規化され得る。画素サイズは、画素の任意の代表寸法でもよい。例えば、画素の幅、画素の高さ、又は画素の対角線寸法が使用され得る。正規化された後は、ステップ２０６で、調光係数が、正規化された距離に基づいて決定され得る。
【００３８】
図１１は、副画素とスプラインとの間の距離の関数として及び副画素に関連づけられた線速度の関数として調光係数を決定する方法を示す。図示されるように、ステップ３０２で、副画素とスプラインとの間の距離が、図７及び図８に関して説明したように決定され得る。距離は、次いで、ステップ３０４で正規化され得る。副画素とスプラインとの間の距離を画素サイズで割ることによって、距離が正規化され得る。画素サイズは、画素の任意の代表寸法でもよい。例えば、画素の幅、画素の高さ、又は画素の対角線寸法が使用され得る。ステップ３０６で、副画素に関連づけられた線速度が、図９に関して説明したように決定され得る。
【００３９】
ありとあらゆる副画素の線速度を正確に計算するのではなく、その代わりに、線速度は、ルックアップテーブル及び補間を用いて決定され得ることに留意されたい。スプライン上の各副画素の中心とアクティブエリア中心との間の点は、アクティブエリア中心に対する角度（すなわち、０°、１０°、４０°、９０°など）を有する。ある特定の角度（すなわち、あらゆる全度数）についての線速度が、ルックアップテーブルに記憶され得る。所与の副画素が２２．３°の代表角度を有する例を考える。２２°及び２３°に関連づけられた線速度がルックアップテーブルから取得され得、２２．３°の線速度を概算するために補間が実行され得る。任意の所望のタイプの補間が実行され得る（すなわち、一次、多項式など）。
【００４０】
ステップ３０８で、線速度を用いて線速度関数を決定することができる（すなわち、線速度が、知られている定数を用いて修正され得る）。最後に、ステップ３１０で、正規化された距離及び線速度関数に基づいて、調光係数が決定され得る。
【００４１】
各種実施形態で、電子デバイスは、ディスプレイと、画像データをディスプレイに提供するように構成された制御回路とを含み得る。ディスプレイは、そのディスプレイのアクティブエリアを形成する画素の配列を含むことができ、ディスプレイのアクティブエリアは、少なくとも１つの丸みを帯びた角を有する縁部を有することができ、少なくとも１つの丸みを帯びた角は、スプラインによって定義することができる。画像データは、画素の配列内の各画素の輝度値を含むことができ、制御回路は、画像データに調光係数を乗算することによって画像データを修正するように構成された乗算回路を含むことができ、画素の配列内の各画素は、それぞれの調光係数を有することができ、各画素に関連づけられた調光係数は、その画素の場所に関連づけられた線速度の関数でもよい。
【００４２】
乗算回路は、画素の配列内の各画素の輝度値にその画素に関連づけられた調光係数を乗算することによって画像データを修正するように構成され得る。制御回路は、修正された画像データを画素の配列に提供するディスプレイドライバ回路を含むことができ、画素の配列は、修正された画像データに基づく画像を表示することができる。各画素に関連づけられた調光係数はまた、その画素のスプラインまでの距離の関数でもよい。各画素のスプラインまでの距離が増えるにつれて、その画素の調光係数は減り得る。画素のスプラインまでの距離は、その画素の中心からスプラインまでの距離として測定され得る。スプライン内にある画素の調光係数は、１でもよい。各画素に関連づけられた調光係数は、その画素のスプラインまでの正規化された距離の関数でもよい。１画素幅を超えてスプラインの外側にある画素の調光係数は、０でもよい。各画素の場所に関連づけられた線速度は、その場所におけるスプラインの輪郭によって決定され得る。ディスプレイのアクティブエリアの縁部は、４つの丸みを帯びた角を伴う４つの辺を有し得る。
【００４３】
各種実施形態で、ディスプレイ回路は、画像を表示するように構成された画素の配列と、画素の配列内の各画素の調光係数を含むゲインテーブルと、画像データを受信するように構成された乗算回路とを含み得る。画像データは、画素の配列内の各画素の輝度値を含み得、乗算回路は、各画素の輝度値にその画素に関連づけられた調光係数を乗算して修正画像データを取得するように構成され得、各画素の調光係数は、その画素とスプラインとの間の距離の関数でもよい。ディスプレイ回路はまた、修正された画像データを画素の配列に提供するように構成されたディスプレイドライバ回路を含み得る。
【００４４】
各種実施形態で、複数の画素及びスプラインによって定義された少なくとも１つの曲線状の縁部を有するディスプレイを動作させる方法は、複数の画素のうちの各画素の輝度レベルを含むディスプレイに画像データを提供することと、調光係数に基づいて画像データを修正することとを含み得る。各画素は、それぞれの調光係数を有し得、各画素の調光係数は、その画素の場所に関連づけられた線速度の関数でもよい。方法はまた、修正された画像データに基づいて複数の画素を用いて画像を表示することを含み得る。各画素の調光係数はまた、その画素とスプラインとの間の正規化された距離の関数でもよい。
【００４５】
一実施形態によれば、電子デバイスが提供され、この電子デバイスは、ディスプレイのアクティブエリアを形成する画素の配列を含むディスプレイであって、ディスプレイのアクティブエリアは、少なくとも１つの丸みを帯びた角を有する縁部を有し、少なくとも１つの丸みを帯びた角はスプラインによって定義される、ディスプレイと、ディスプレイに画像データを提供するように構成された制御回路とを含み、画像データは、画素の配列内の各画素の輝度値を含み、制御回路は、画像データに調光係数を乗算することによって画像データを修正するように構成された乗算回路を含み、画素の配列内の各画素は、それぞれの調光係数を有し、各画素に関連づけられた調光係数は、その画素の場所に関連づけられた線速度の関数である。
【００４６】
もう１つの実施形態によれば、乗算回路は、画素の配列内の各画素の輝度値にその画素に関連づけられた調光係数を乗算することによって画像データを修正するように構成される。
【００４７】
もう１つの実施形態によれば、制御回路は、修正された画像データを画素の配列に提供するディスプレイドライバ回路を含み、画素の配列は、修正された画像データに基づく画像を表示する。
【００４８】
もう１つの実施形態によれば、各画素に関連づけられた調光係数はまた、その画素のスプラインまでの距離の関数である。
【００４９】
もう１つの実施形態によれば、各画素のスプラインまでの距離が増えるにつれて、その画素の調光係数は減る。
【００５０】
もう１つの実施形態によれば、画素のスプラインまでの距離は、その画素の中心からスプラインまでの距離として測定される。
【００５１】
もう１つの実施形態によれば、スプライン内にある画素の調光係数は、１である。
【００５２】
もう１つの実施形態によれば、各画素に関連づけられた調光係数は、その画素のスプラインまでの正規化された距離の関数である。
【００５３】
もう１つの実施形態によれば、１画素幅を超えてスプラインの外側にある画素の調光係数は、０である。
【００５４】
もう１つの実施形態によれば、各画素の場所に関連づけられた線速度は、その場所におけるスプラインの輪郭によって決定される。
【００５５】
もう１つの実施形態によれば、ディスプレイのアクティブエリアの縁部は、４つの丸みを帯びた角を伴う４つの辺を有する。
【００５６】
一実施形態によれば、画像を表示するように構成された画素の配列と、画素の配列内の各画素の調光係数を含むゲインテーブルと、画像データを受信するように構成された乗算回路であって、画像データが画素の配列内の各画素の輝度値を含み、乗算回路は各画素の輝度値にその画素に関連づけられた調光係数を乗算して修正画像データを取得するように構成され、各画素の調光係数がその画素とスプラインとの間の距離の関数である、乗算回路と、修正された画像データを画素の配列に提供するように構成されたディスプレイドライバ回路とを含む、ディスプレイ回路が提供される。
【００５７】
もう１つの実施形態によれば、画素とスプラインとの間の距離が増えるにつれて、各画素の調光係数は減る。
【００５８】
もう１つの実施形態によれば、各画素とスプラインとの間の距離は、その画素の中心からスプラインまでの距離として測定される。
【００５９】
もう１つの実施形態によれば、スプライン内にある画素の調光係数は、１である。
【００６０】
もう１つの実施形態によれば、各画素に関連づけられた調光係数は、その画素とスプラインとの間の正規化された距離の関数である。
【００６１】
もう１つの実施形態によれば、１画素幅を超えてスプラインの外側にある画素の調光係数は、０である。
【００６２】
もう１つの実施形態によれば、各画素に関連づけられた調光係数はまた、その画素の場所に関連づけられた線速度の関数である。
【００６３】
一実施形態によれば、複数の画素とスプラインによって定義された少なくとも１つの曲線状の縁部とを有するディスプレイを動作させる方法が提供され、方法は、画素データをディスプレイに提供することであって、画像データが複数の画素のうちの各画素の輝度レベルを含む、ことと、調光係数に基づいて画像データを修正することであって、各画素がそれぞれの調光係数を有し、各画素の調光係数がその画素の場所に関連づけられた線速度の関数である、ことと、修正された画像データに基づいて複数の画素を用いて画像を表示することとを含む。
【００６４】
もう１つの実施形態によれば、各画素の調光係数はまた、その画素とスプラインとの間の正規化された距離の関数である。
【００６５】
一実施形態によれば、ディスプレイのアクティブエリアを形成する複数の画素を含むディスプレイであって、ディスプレイのアクティブエリアが、そのディスプレイのアクティブエリアの縁部の途中の少なくとも一部に少なくとも１つの丸みを帯びた角を有する、ディスプレイと、ディスプレイに画像データを提供するように構成された制御回路であって、画像データが各画素の輝度値を備え、制御回路が、少なくとも１つの調光係数に基づいて画像データを修正するように構成された回路を備え、各画素がそれぞれの調光係数を有し、各画素に関連づけられた調光係数が、その画素の場所に少なくとも関連づけられた、制御回路とを含む、電子デバイスが提供される。
【００６６】
もう１つの実施形態によれば、画像データを修正するように構成された回路は、各画素の輝度値にその画素に関連づけられた調光係数を乗算するように構成された乗算回路を備える。
【００６７】
もう１つの実施形態によれば、制御回路は、修正された画像データを複数の画素に提供するディスプレイドライバ回路を含み、複数の画素は、修正された画像データに基づく画像を表示する。
【００６８】
もう１つの実施形態によれば、少なくとも各画素に関連づけられた調光係数は、各画素の場所に関連づけられた線速度に関連し、線速度は、少なくともその場所における少なくとも１つの丸みを帯びた角のスプラインの輪郭によって決定される。
【００６９】
もう１つの実施形態によれば、各画素に関連づけられた調光係数は、その画素の場所に関連づけられた線速度と、少なくとも１つの丸みを帯びた角のスプラインまでのその画素の距離とに少なくとも関連づけられる。
【００７０】
もう１つの実施形態によれば、各画素のスプラインまでの距離が増えるにつれて、その画素の調光係数は減る。
【００７１】
もう１つの実施形態によれば、画素のスプラインまでの距離は、その画素の中心からスプラインまでの距離として測定される。
【００７２】
もう１つの実施形態によれば、スプラインまで所定の距離内にある画素の調光係数は、１である。
【００７３】
もう１つの実施形態によれば、１画素幅を超えてスプラインの外側にある画素の調光係数は、０である。
【００７４】
もう１つの実施形態によれば、各画素に関連づけられた調光係数は、少なくとも１つの丸みを帯びた角のスプラインまでのその画素の正規化された距離に少なくとも関連づけられる。
【００７５】
もう１つの実施形態によれば、ディスプレイは、４つの丸みを帯びた角を伴う４つの辺を有する。
【００７６】
一実施形態によれば、画像を表示するように構成された複数の画素と、画像データを受信するように構成された乗算回路であって、画像データが複数の画素のうちの各画素の輝度値を含み、乗算回路が、各画素の輝度値にその画素に関連づけられた調光係数を乗算して修正画像データを取得するように少なくとも構成され、各画素の調光係数が少なくともその画素とディスプレイのスプラインとの間の距離の関数である、乗算回路と、修正された画像データを複数の画素に提供するように構成されたディスプレイドライバ回路とを含む、ディスプレイのディスプレイ回路が提供される。
【００７７】
もう１つの実施形態によれば、ディスプレイ回路はまた、各画素の調光係数を含むゲインテーブルを含み、各画素とスプラインとの間の距離が増えるにつれて、その画素の調光係数は減る。
【００７８】
もう１つの実施形態によれば、各画素とスプラインとの間の距離は、その画素の中心からスプラインまでの距離として測定される。
【００７９】
もう１つの実施形態によれば、スプラインまで所定の距離内にある画素の調光係数は、１である。
【００８０】
もう１つの実施形態によれば、１画素幅を超えてスプラインの外側にある画素の調光係数は、０である。
【００８１】
もう１つの実施形態によれば、各画素に関連づけられた調光係数は、その画素とスプラインとの間の正規化された距離に少なくとも関連づけられる。
【００８２】
もう１つの実施形態によれば、各画素に関連づけられた調光係数は、その画素の場所に関連づけられた線速度にも少なくとも関連づけられる。
【００８３】
一実施形態によれば、複数の画素及び少なくとも１つの曲線状の縁部を有するディスプレイを動作させる方法が提供され、方法は、ディスプレイに画素データを提供することであって、画像データが複数の画素のうちの各画素の輝度レベルを含む、ことと、調光係数に基づいて画像データを修正することであって、各画素がそれぞれの調光係数を有し、各画素の調光係数がその画素の場所に少なくとも関連づけられた、ことと、修正された画像データに基づいて複数の画素を用いて画像を表示することとを含む。
【００８４】
もう１つの実施形態によれば、各画素の調光係数は、その画素の場所に関連づけられた線速度に少なくとも関連し、各画素の調光係数は、その画素と、少なくとも１つの曲線状の縁部のスプラインとの間の正規化された距離に少なくとも関連づけられる。
【００８５】
前述の内容は単なる例示であり、説明した実施形態の範囲及び精神から逸脱することなく、当業者によって様々な修正が行われ得る。前述の実施形態は、個々に、又は任意の組み合わせで実施することができる。
【図１】
0006549794.tif 000002
【図２】
0006549794.tif 000003
【図３】
0006549794.tif 000004
【図４】
0006549794.tif 000005
【図５】
0006549794.tif 000006
【図６】
0006549794.tif 000007
【図７】
0006549794.tif 000008
【図８】
0006549794.tif 000009
【図９】
0006549794.tif 000010
【図１０】
0006549794.tif 000011
【図１１】
0006549794.tif 000012